(57)【要約】      （修正有）【課題】紙幣入出金機構の簡素化と、リジェクト紙幣の繰出不良を防止する。【解決手段】紙幣を繰出すピックアップローラ３４と、ローラ３４の外周面を突出させる第１の窓部３９ａを有する紙幣ガイド３９と、ローラ３４を紙幣ガイド３９の方向に付勢するバネ部材５２と、紙幣ガイド３９に対向して配置され、ローラ３４の外周面を突出させる第２の窓部４１ａを有する第１のビルプレス４１と、ビルプレス４１を挟んでローラ３４の反対側に、配置された第２のビルプレス４２、ビルプレス４１、４２の間に、投入リジェクト紙幣を集積するリジェクト集積ローラ部４５とを設け、投入された紙幣を繰出す場合は、紙幣ガイド３９とビルプレス４１との間に挟持して、窓部から突出させたローラ３４の外周面で押圧し、投入リジェクト紙幣の取忘れが生じた場合は、紙幣をビルプレス４１、４２の間に挟持して窓部から突出させたローラ３４の外周面で押圧する。【選択図】図４
2010108159.tif 000002
【特許請求の範囲】
【請求項１】
投入された紙幣と、前記投入紙幣の内のリジェクト紙幣とを区分して集積する紙幣入出金機構において、
集積された紙幣を支持する支持板と、
前記支持板上に集積された紙幣を、前記支持板の直交方向に繰出すピックアップローラと、
前記ピックアップローラ側に、前記ピックアップローラによる紙幣の繰出方向の直交方向に移動可能に配置され、前記ピックアップローラの外周面を突出させる第１の窓部を有する紙幣ガイドと、
前記ピックアップローラを、前記紙幣ガイドの方向に付勢するバネ部材と、
前記紙幣ガイドに対向して前記繰出方向の直交方向に移動可能に配置され、前記ピックアップローラの外周面を突出させる第２の窓部を有する第１のビルプレスと、
前記第１のビルプレスを挟んで前記ピックアップローラの反対側に、前記第１のビルプレスと対向して前記繰出方向の直交方向に移動可能に配置された第２のビルプレスと、
前記第１のビルプレスと前記第２のビルプレスとの間に、前記リジェクト紙幣を集積するリジェクト集積ローラ部と、を設け、
前記紙幣ガイドと前記第１のビルプレスとの間に投入された紙幣を繰出す場合は、前記投入紙幣を、前記紙幣ガイドと前記第１のビルプレスとの間に挟持して、前記第１の窓部から突出させた前記ピックアップローラの外周面で押圧し、
前記リジェクト集積ローラ部により前記第１のビルプレスと第２のビルプレスとの間に集積したリジェクト紙幣の取忘れが生じた場合は、前記リジェクト紙幣を、前記第１のビルプレスと前記第２のビルプレスとの間に挟持して、前記第１および第２の窓部から突出させた前記ピックアップローラの外周面で押圧することを特徴とする紙幣入出金機構。
【請求項２】
請求項１において、
前記第２のビルプレスを回動可能に構成すると共に、前記第２のビルプレスの前記ピックアップローラ側の面に、前記支持板に向けて前記第１のビルプレスから離れる方向に傾斜する斜面を設け、
前記リジェクト紙幣を、前記第１のビルプレスとの間に挟持するときに、前記第２のビルプレスを、前記斜面が前記第１のビルプレスと平行になるように回動させることを特徴とする紙幣入出金機構。
【請求項３】
請求項１または請求項２において、
前記ピックアップローラ側に、前記紙幣ガイドの方向に付勢されたセンサローラを設けると共に、前記紙幣ガイドの前記第１の窓部を除く領域に、前記センサローラの外周面を突出させるセンサ窓部を設け、
前記投入紙幣を、前記ピックアップローラの外周面で押圧する場合に、前記センサローラが投入紙幣を検出したときに、前記第１のビルプレスの移動を停止させることを特徴とする紙幣入出金機構。
【発明の詳細な説明】
【技術分野】
【０００１】
本発明は、投入紙幣と、投入紙幣の内のリジェクト紙幣とを区分して集積する紙幣入出金部に設けられる紙幣入出金機構に関する。
【背景技術】
【０００２】
従来の紙幣入出金部に設けられた紙幣入出金機構は、集積された紙幣を支持する支持板と、支持板上に集積された紙幣を、支持板の直交方向に繰出すピックアップローラと、ピックアップローラ側に、ピックアップローラによる紙幣の繰出方向の直交方向に往復移動可能に設けられた第１のビルプレスと、第１のビルプレスを挟んでピックアップローラの反対側に、第１のビルプレスと対向して繰出方向の直交方向に往復移動可能に配置された第２のビルプレスと、第１と第２のビルプレスとの間に出没可能に配置されたリジェクトストッパと、リジェクトビルストッパと第２のビルプレスとの間にリジェクト紙幣を集積するリジェクト集積ローラ部とを備え、ピックアップローラと第１のビルプレスとの間に投入された紙幣を繰出す場合は、第１および第２のビルプレスを当接させた状態で、ピックアップローラの方向に移動させて、投入紙幣を第１のビルプレスおよび第２のビルプレスでピックアップローラに押圧し、リジェクト集積ローラ部によりリジェクトビルストッパと第２のビルプレスとの間に集積したリジェクト紙幣の取忘れが生じた場合は、リジェクトストッパを支持板から退避させ、第２のビルプレスを第１のビルプレスの方向に移動させてリジェクト紙幣に接触させ、第１のビルプレスを下端の軸を中心に９０度回転させて水平状態にし、その第１のビルプレス上を、第２のビルプレスでリジェクト紙幣を押しながらピックアップローラの方向に移動させ、収納するリジェクト紙幣を第２のビルプレスでピックアップローラに押圧している（例えば、特許文献１参照。）。
【特許文献１】特開平９−１４７１９３号公報（段落００２８〜００３０、段落００４２〜００４４、第５図、第６図、第８図）
【発明の開示】
【発明が解決しようとする課題】
【０００３】
しかしながら、上述した従来の技術においては、紙幣入出金部に集積されたリジェクト紙幣を繰出すためには、第１のビルプレスの可倒機構やリジェクトストッパの退避機構等を設ける必要があり、紙幣入出金機構の構成が複雑になるという問題がある。
また、９０度回転して水平状態となった第１のビルプレスの上を第２のビルプレスに押されてリジェクト紙幣が通過する際に倒れしてしまう場合や、リジェクト紙幣が第１のビルプレスの回転に連れられて倒れてしまう場合があり、リジェクト紙幣の繰出不良の要因になってしまうという問題がある。
【課題を解決するための手段】
【０００４】
本発明は、上記課題を解決するために、投入された紙幣と、前記投入紙幣の内のリジェクト紙幣とを区分して集積する紙幣入出金機構において、集積された紙幣を支持する支持板と、前記支持板上に集積された紙幣を、前記支持板の直交方向に繰出すピックアップローラと、前記ピックアップローラ側に、前記ピックアップローラによる紙幣の繰出方向の直交方向に移動可能に配置され、前記ピックアップローラの外周面を突出させる第１の窓部を有する紙幣ガイドと、前記ピックアップローラを、前記紙幣ガイドの方向に付勢するバネ部材と、前記紙幣ガイドに対向して前記繰出方向の直交方向に移動可能に配置され、前記ピックアップローラの外周面を突出させる第２の窓部を有する第１のビルプレスと、前記第１のビルプレスを挟んで前記ピックアップローラの反対側に、前記第１のビルプレスと対向して前記繰出方向の直交方向に移動可能に配置された第２のビルプレスと、前記第１のビルプレスと前記第２のビルプレスとの間に、前記リジェクト紙幣を集積するリジェクト集積ローラ部とを設け、前記紙幣ガイドと前記第１のビルプレスとの間に投入された紙幣を繰出す場合は、前記投入紙幣を、前記紙幣ガイドと前記第１のビルプレスとの間に挟持して、前記第１の窓部から突出させた前記ピックアップローラの外周面で押圧し、前記リジェクト集積ローラ部により前記第１のビルプレスと第２のビルプレスとの間に集積したリジェクト紙幣の取忘れが生じた場合は、前記リジェクト紙幣を、前記第１のビルプレスと前記第２のビルプレスとの間に挟持して、前記第１および第２の窓部から突出させた前記ピックアップローラの外周面で押圧することを特徴とする。
【発明の効果】
【０００５】
これにより、本発明は、紙幣入出金機構の構成の簡素化を図ることができると共に、投入リジェクト紙幣のピックアップローラへの押圧時に倒れ等が生ずることを防止することができ、投入リジェクト紙幣の繰出不良を防止することができるという効果が得られる。
【発明を実施するための最良の形態】
【０００６】
以下に、図面を参照して本発明による紙幣入出金機構の実施例について説明する。
【実施例１】
【０００７】
図１は実施例１の現金自動預払機を示すブロック図、図２は実施例１の紙幣入出金機を示すブロック図、図３は実施例１の紙幣入出金機の構成を示す説明図、図４は実施例１の紙幣入出金部の構成を示す説明図、図５は図４の矢印Ａ方向から見た紙幣繰出機構を示す説明図、図６は図４の矢印Ａ方向から見た第１のビルプレスを示す説明図、図７は図４の矢印Ｂ方向から見た集積ローラ軸を示す説明図である。
【０００８】
図１において、１は自動取引装置としての現金自動預払機であり、銀行等の金融機関の支店やコンビニエンスストア等の店舗に設置され、顧客との間での取引処理を自動で行う。
２は現金自動預払機１の主制御部であり、図示しない通信回線を介して、顧客を鑑別するための顧客ＩＤに対応させて顧客の口座の口座番号やその暗証番号、口座残高等の顧客情報を保有して顧客の口座を管理する図示しないホストコンピュータと接続しており、現金自動預払機１内の各部を制御して取引処理等を実行すると共に、ホストコンピュータとのデータ通信等も制御する。
【０００９】
３は主記憶部であり、主制御部２が実行するプログラムやそれに用いる各種のデータおよび主制御部２による処理結果等が格納される。
４は操作表示部であり、現金自動預払機１の正面に設けられ、ＣＲＴやＬＣＤ等の表示画面とタッチパネル等の入力手段との組合せで構成されており、表示画面に入金取引や出金取引等の取引選択ボタンを表示した取引選択画面や各種の入力画面等を表示する他、入力手段により顧客からの入力を受付ける。
【００１０】
５はカード取扱部であり、挿入された顧客のキャッシュカード等の取引カードの磁気ストライプやＩＣチップ等に記録されている顧客ＩＤ等のカード情報を読み書きする機能を有すると共に、明細票等に取引内容等を印刷する機能等を有している。
６は通帳取扱部であり、挿入された顧客の通帳の磁気ストライプやＩＣチップ等に記録されている顧客ＩＤ等の通帳情報を読み書きする機能を有すると共に、取引内容等を顧客の通帳に記帳する機能を有している。
【００１１】
７は硬貨入出金機であり、入金取引時等に顧客が投入した硬貨を受入れ、これを鑑別および計数して収納し、出金取引時等に顧客に支払う硬貨を繰出し、これを計数して顧客に払い出す機能を有している。
８は紙幣入出金機であり、入金取引時等に顧客が投入した紙幣（投入紙幣という。）を受入れ、これを鑑別および計数して収納し、出金取引時等に顧客に支払う紙幣を繰出し、これを計数して顧客に払い出す機能等を有しており、図２、図３に示す構成を備えている。
【００１２】
図２、図３において、１１は紙幣入出金機８の制御部であり、主制御部２からの指令により、紙幣入出金機８内の各部を制御して入金取引等における紙幣の取込処理や収納処理、出金取引等における紙幣の出金処理等を実行する機能を有している。
１２は記憶部であり、制御部１１が実行するプログラムやそれに用いる各種のデータおよび主制御部１１による処理結果等が格納される。
【００１３】
１３は紙幣入出金機８の紙幣入出金部であり、投入紙幣と、投入紙幣の内の返却を要するリジェクト紙幣とを区分して集積する紙幣入出金機構１４を備えている。
１５は鑑別部であり、搬送された紙幣の真偽、正損、金種等の各種の鑑別を行う機能等を有している。
１７は一時保留部であり、入金取引等の投入紙幣の取込処理時に、鑑別部１５で真券と鑑別された紙幣を集積して一時保留する収納部であって、紙幣を１枚毎に分離して繰出す機能、搬送された紙幣を集積する機能を有している。
【００１４】
１８は紙幣収納庫であり、出金に用いる紙幣や入金された紙幣を収納する収納庫であって、入金確定後に一時保留部部１７から繰出され、鑑別部１５で金種等が鑑別された紙幣を収納する機能、収納した紙幣を１枚毎に分離して繰出す機能を有している。
本実施例の紙幣収納庫１８は３つ設けられており、それぞれに収納する紙幣の金種が予め設定されている。
【００１５】
２０は非循環紙幣収納庫であり、顧客が入金した紙幣の中で、循環使用しない金種の紙幣（例えば２千円札や５千円札）や出金時にリジェクトされた出金リジェクト紙幣を収納する収納庫であって、搬送された紙幣を集積する機能を有している。
２１は取忘れ紙幣収納庫であり、入金取引等の投入紙幣の取込処理時に、後述する投入リジェクト紙幣や出金された紙幣を、顧客が取忘れた場合に収納する収納庫であって、搬送された取忘れ紙幣を集積する機能を有している。
【００１６】
２３は搬送路であり、ベルト対またはローラ対等で紙幣の表裏両面を挟持して搬送する搬送路であって、上記の各部の間を接続して紙幣を搬送する。
２４は切替ブレードであり、鑑別部１５での鑑別結果に応じて紙幣の搬送方向を切替えるために搬送路２３の分岐部に設けられた切替機構であって、本実施例では、投入リジェクト紙幣と鑑別された紙幣は図３に示す矢印ニ方向へ搬送方向を切替えて搬送され、真券と鑑別された紙幣は矢印ホ方向へ搬送方向を切替えて搬送される。
【００１７】
本実施例の紙幣入出金機８の紙幣入出金部１３は、図４に示すように、紙幣入出金機構１４を備え、顧客が投入した投入紙幣を支持板３０上に集積する第１の集積空間３１と、投入紙幣の内で、鑑別部１５で偽券や外国紙幣等と鑑別され、紙幣収納庫１８に収納できないために顧客に返却する紙幣と鑑別された投入時のリジェクト紙幣（投入リジェクト紙幣という。）を支持板３０上に集積する第２の集積空間３２とを有しており、投入紙幣と投入リジェクト紙幣とを区分して集積する。
【００１８】
３３は紙幣入出金機構１４のシャッタであり、紙幣入出金部１３の上部に配置され、ピックアップローラ３４による紙幣の繰出方向の直交方向に往復移動可能に構成されており、顧客との取引における紙幣の投入時および取出時に紙幣入出金口３５（図８参照）を開放し、紙幣の取込処理時等には紙幣入出金口３５を閉鎖する機能を備えている。
３４は紙幣入出金機構１４のピックアップローラであり、ピックアップローラ軸３４ａを中心に正逆回転可能に構成されて、紙幣入出金部１３の側方で、支持板３０の上方に配置され、紙幣の繰出が容易なようにその外周面の一部にゴム等の摩擦係数の大きい高摩擦部材（図４等に網掛けを付して示す部位）が取付けられており、支持板３０上に立位で支持された紙幣を図４において下方に繰出す機能を有している。
【００１９】
本実施例の紙幣は、その短手方向によって支持板３０上に立位で支持される。
３６はフィードローラであり、フィードローラ軸３６ａを中心に正逆回転可能に構成されて、ピックアップローラ３４の紙幣の繰出方向の下流で、支持板３０の端部に配置されて、紙幣の搬入、繰出が容易なようにその外周面の一部にピックアップローラ３４と同様の高摩擦部材が取付けられると共に、円周方向の全周に渡るリング状の溝部が２本並設されており（図５参照）、ピックアップローラ３４により繰出される紙幣を更に搬送して、搬送路２３へ繰出す機能を有している。
【００２０】
上記のピックアップローラ３４とフィードローラ３６とは、ギア列等の図示しない動力伝達機構で接続されており、フィードローラ３６の回転に伴ってピックアップローラ３４が同方向に回転する。
３７はゲートローラであり、フィードローラ３６に対向配置され、その外周面にはフィードローラ３６の溝部と山部に噛合う円周方向の全周に渡るリング状の溝部が１本設けられており、ゲートローラ軸３７ａを中心に紙幣の搬入時にはフィードローラ３６と共に回転し、紙幣の繰出時には回転しない一方向回転機構を備えて紙幣入出金部１３からフィードローラ３６により繰出される紙幣を１枚毎に分離する機能を有している。
【００２１】
３９は紙幣ガイドであり、紙幣入出金部１３のピックアップローラ３４側に、紙幣の繰出方向の直交方向に往復移動可能に配置されており、図５に示すように、それぞれのピックアップローラ３４に対応させて、その外周面を突出させるためのピックアップローラ３４に接触しない程度の開口である第１の窓部３９ａが設けられている。
４１は第１のビルプレスであり、紙幣ガイド３９に対向して配置された板状部材であって、紙幣の繰出方向の直交方向に往復移動可能に配置され、図６に示すように、それぞれのピックアップローラ３４に対応させて、その外周面を突出させるためのピックアップローラ３４に接触しない程度の開口である第２の窓部４１ａが設けられている。
【００２２】
４２は第２のビルプレスであり、第１のビルプレス４１を挟んでピックアップローラ３４の反対側に配置された側面視台形状の厚板部材であって、第１のビルプレス４１と対向して紙幣の繰出方向の直交方向に往復移動可能に配置されると共に、回転支点４３を中心に回動可能に構成されており、そのピックアップローラ３４側の面に、支持板３０に向けて第１のビルプレス４１から離れる方向に傾斜する斜面４２ａが設けられている。
【００２３】
４５はリジェクト集積ローラ部であり、集積ローラ軸４６ａを中心に回転可能に設けられた集積ローラ４６と、これに対向配置されたプレッシャローラ軸４７ａを中心に回転可能に設けられたプレッシャローラ４７とで構成されて、支持板３０のフィードローラ３６とは反対側の端部に配置されており、搬送路２３により図３の矢印ニ方向へ搬送された投入リジェクト紙幣を、第２の集積空間３２である第１のビルプレス４１と第２のビルプレス４２との間に集積する機能を有している。
【００２４】
また、集積ローラ軸４６ａには、図７に示すように、複数の舌片４８ａを有する舌片車４８が複数（本実施例では、集積ローラ４６の間に２つ、それぞれの集積ローラ４６の外側に各１つの合計４つ）取付けられおり、集積ローラ４６と同方向に回転して、第２の集積空間３２に集積される投入リジェクト紙幣の後端を叩き、その後端を第１のビルプレス４１の方向に移動させる機能を有している。
【００２５】
なお、本実施例の第１の集積空間３１は、紙幣ガイド３９と第１のビルプレス４１との間で構成される。
５１はピックアップローラ支持レバーであり、フィードローラ軸３６ａを中心に回動可能に構成された側面視Ｌ字状の支持部材であって、図５に示すように、フィードローラ軸３６ａの反対側に設けられたピックアップローラ軸３４ａを正逆回転可能に支持しており、ピックアップローラ３４は、Ｌ字状の側板の間に配置されている。
【００２６】
５２はバネ部材としての圧縮コイルスプリングであり、一端を紙幣入出金部１３のフレーム等に固定され、他端でピックアップローラ支持レバー５１を押圧し、ピックアップローラ３４を紙幣ガイド３９の方向に付勢する機能を有している。
５４はピックアップローラ位置検出センサであり、ピックアップローラ支持レバー５１のＬ字状の一方の端部５１ａを光学的に検出してピックアップローラ３４の位置を検出するセンサである。
【００２７】
本実施例の紙幣入出金部１３の支持板３０は、図４に示すように、第２のビルプレス４２が上方となるように、水平方向から１０度以上、３０度以下の範囲の所定の角度αで傾斜させた状態で設置されている。
上記の現金自動預払機１の主記憶部３には、顧客が選択した取引の入力を受付け、これを基にホストコンピュータと交信して顧客との取引処理を自動で行う機能等を有する通常の取引処理プログラムに、入金取引のときに、紙幣入出金機８の制御部１１へ入金取引における投入紙幣の取込指令や取込まれた紙幣の収納指令等を送信する機能を有するアプリケーションプログラム等が追加された業務処理実行プログラムが予め格納されており、主制御部２が実行する業務処理実行プログラムのステップにより本実施例の現金自動預払機１のハードウェアとしての各機能手段が形成される。
【００２８】
また、紙幣入出金機８の記憶部１２には、入金取引のときに、主制御部２からの取込指令や収納指令にに基づいて、投入紙幣の取込処理や取込まれた紙幣の収納処理等を実行する機能を有する紙幣処理プログラムが予め格納されており、制御部１１が実行する紙幣処理プログラムのステップにより本実施例の紙幣入出金機８のハードウェアとしての各機能手段が形成される。
【００２９】
以下に、図８ないし図１３を用いて、本実施例の紙幣入出金機８の投入紙幣の取込処理について説明する。
金融機関の店舗の係員が、始業時等に現金自動預払機１へ電源を投入すると、現金自動預払機１の主記憶部３に格納されている業務処理実行プログラムが自動的に起動される。
業務処理実行プログラムが起動すると、現金自動預払機１の主制御部２は業務処理実行プログラムによりその操作表示部４の画面に取引選択画面を表示して待機する。
【００３０】
取引選択画面には、取引選択ボタンの押下を促す旨の文言と、出金取引のための「お引き出し」ボタンおよび入金取引のための「お預け入れ」ボタン、振込取引のための「お振り込み」ボタン等の取引を選択するための取引選択ボタンが表示されている。
本実施例では、顧客は入金取引を選択し、操作表示部４の画面から入力手段によってその取引選択ボタンを押下する。
【００３１】
入力手段からの信号により顧客の選択した取引を入金取引と認識した主制御部２は、操作表示部４の画面に取引カードまたは通帳の挿入を促す旨の文言を表示する。
主制御部２は、顧客が取引カードをカード取扱部５に挿入、または通帳を通帳取扱部６に挿入すると、そのカード情報または通帳情報を読取り、操作表示部４に紙幣等の投入を促す文言を表示すると共に、紙幣入出金機８の制御部１１へ投入紙幣の取込指令を送信する。
【００３２】
取込指令を受信した制御部１１は、図８に示すように、紙幣処理プログラムにより、紙幣入出金機構１４の第２のビルプレス４２をリジェクト集積ローラ部４５の集積ローラ４６とプレッシャローラ４７との挟持部よりピックアップローラ３４の反対側に移動させ、紙幣ガイド３９を紙幣入出金口３５の下方よりも第１のビルプレス４１側に位置させ、第１のビルプレス４１を紙幣入出金口３５の下方よりも第２のビルプレス４２側に位置させた状態でシャッタ３３を開作動させ、紙幣ガイド３９と第１のビルプレス４１との間の第１の集積空間３１を開放する。
【００３３】
この場合に、ピックアップローラ３４の第１のビルプレス４１側の外周面は、紙幣ガイド３９の第１の窓部３９ａから突出しない位置に停止している。
顧客が紙幣入出金部１３の紙幣入出金口３５から紙幣を投入すると、制御部１１は、図示しないセンサによって第１の集積空間３１に紙幣が投入されたことを認識し、タイマー機能により、紙幣の投入を認識してから所定の時間経過したときに、図９に示すように、シャッタ３３を閉作動させる。
【００３４】
これにより、紙幣ガイド３９と第１のビルプレス４１との間の支持板３０上に、投入紙幣が立位で集積される。
シャッタ３３を閉作動させた制御部１１は、第１のビルプレス４１を紙幣ガイド３９の方向へ移動させ、紙幣ガイド３９と第１のビルプレス４１とによって支持板３０上で投入紙幣を立位の状態で挟持し、その投入紙幣を挟持したまま紙幣ガイド３９と第１のビルプレス４１とをピックアップローラ３４の方向へ移動させて、紙幣ガイド３９の第１の窓部３９ａから突出してくるピックアップローラ３４の外周面に当接させ、図１０に示すように、紙幣ガイド３９をピックアップローラ３４に押圧された投入紙幣からピックアップローラ３４の方向に退避させると共に、第１のビルプレス４１を圧縮コイルバネ５２の付勢力に抗して更に移動させ、ピックアップローラ位置検出センサ５４がピックアップローラ支持レバー５１の端部５１ａを検出したときに第１のビルプレス４１を停止させる。
【００３５】
これにより、支持板３０上の投入紙幣が、圧縮コイルバネ５２の付勢力により、第１のビルプレス４１とピックアップローラ３４の外周面との間に適切な押圧力で保持されると共に、第２のビルプレス４２と第１のビルプレス４１の背面（投入紙幣を押圧している面（押圧面という。）の反対側の面をいう。）との間に、リジェクト集積ローラ部４５により搬入された投入リジェクト紙幣を集積する第２の集積空間３２が形成される。
【００３６】
第１のビルプレス４１とピックアップローラ３４との間に投入紙幣を保持した制御部１１は、図１１に示すように、ピックアップローラ３４およびフィードローラ３６を繰出方向（図１１において反時計方向）に回転させ、フィードローラ３６とゲートローラ３７との間で１枚毎に分離しながら投入紙幣を搬送路２３（図３参照）へ繰出す。
このとき、第１のビルプレス４１には第２の窓部４１ａが設けられているが、紙幣の剛性を利用してピックアップローラ３４を押圧することが可能であるので、ピックアップローラ３４により投入紙幣を繰出すことができる。
【００３７】
投入紙幣を搬送路２３へ繰出した制御部１１は、当該紙幣を図３に示す矢印イ、矢印ロの方向へ搬送し、鑑別部１５によって当該紙幣の鑑別を行い、その鑑別結果が真券である場合は、切替ブレード２４で当該紙幣の搬送方向を図３に示す矢印ハから矢印ホの方向に切替えて搬送し、鑑別した投入紙幣の金種毎の枚数を計数して算出した合計金額を記憶部１２に記憶しながら、投入紙幣を一時保留部１７に集積する。
【００３８】
一方、制御部１１は、鑑別結果が投入リジェクト紙幣である場合は、切替ブレード２４でその投入リジェクト紙幣の搬送方向を図３に示す矢印ハから矢印ニの方向に切替えて搬送し、図１１に示すように、搬送した投入リジェクト紙幣をリジェクト集積ローラ部４５によって第２の集積空間３２に集積する。
このとき、舌片車４８が集積ローラ４６と同方向に回転し、第２の集積空間３２に集積される投入リジェクト紙幣の後端を叩いて、その後端を第１のビルプレス４１の方向に移動させ、集積ローラ４６とプレッシャローラ４７との挟持部に投入リジェクト紙幣の後端が残留することを防止する。
【００３９】
これにより、投入リジェクト紙幣が、第１のビルプレス４１と第２のビルプレス４２との間の支持板３９上に集積される。
そして、鑑別部１５における全ての投入紙幣の鑑別が終了し、鑑別した紙幣の一時保留部１７または第２の集積空間３２への集積の終了後に、投入リジェクト紙幣が存在する場合は、制御部１１は、図１２に示すように、紙幣ガイド３９をシャッタ３３の下方に移動させると共に、第２のビルプレス４２をその斜面４２ａが第１のビルプレス４１と平行になるように回動させながら第１のビルプレス４１の方向に移動させ、第１のビルプレス４１の背面と第２のビルプレス４２の斜面４２ａとの間に投入リジェクト紙幣を挟持しながら紙幣ガイド３９の方向に移動させ、第１のビルプレス４１を紙幣ガイド３９に当接させた後に、第２のビルプレス４２をリジェクト集積ローラ部４５の方向に移動させて、投入リジェクト紙幣の挟持を解除し、その状態でシャッタ３３を開作動させて第２の集積空間３２を開放すると共に、操作表示部４の画面に投入リジェクト紙幣の受取りを促す旨の文言を表示して顧客に投入リジェクト紙幣を返却する。
【００４０】
次いで、制御部１１は、図示しないセンサにより投入リジェクト紙幣の取出しを確認した後に、記憶部１２に記憶した合計金額を読出し、操作表示部４の画面に、合計金額と金額確認を促す旨の文言、紙幣の再投入の有無を問う文言等を表示し、合計金額が確認されると、一時保留部１７の紙幣を繰出して金種別に紙幣収納庫１８に収納する収納処理を通常通りに実行して入金取引処理を終了する。
【００４１】
この場合に、顧客が投入リジェクト紙幣を取忘れたときは、制御部１１は投入リジェクト紙幣の収納処理を実行する。
すなわち、制御部１１は、シャッタ３３を開作動させた後に所定の時間を経過しても図示しないセンサが投入リジェクト紙幣の取出を検知しない場合は、投入リジェクト紙幣の取忘れが発生したことを判定し、図１３に示すように、第２のビルプレス４２を第１のビルプレス４１の方向に移動させ、第１のビルプレス４１の背面と第２のビルプレス４２の斜面４２ａとの間に投入リジェクト紙幣を挟持し、その投入リジェクト紙幣を挟持したまま、紙幣ガイド３９、第１および第２のビルプレス４１、４２をピックアップローラ３４の方向へ移動させ、紙幣ガイド３９の第１の窓部３９ａおよび第１のビルプレス４１の第２の窓部４１ａから突出してくるピックアップローラ３４の外周面に当接させ、図１４に示すように、紙幣ガイド３９および第１のビルプレス４１をピックアップローラ３４に押圧された紙幣からピックアップローラ３４の方向に退避させると共に、第２のビルプレス４２を圧縮コイルバネ５２の付勢力に抗して更に移動させ、ピックアップローラ位置検出センサ５４がピックアップローラ支持レバー５１の端部５１ａを検出したときに第２のビルプレス４２を停止させる。
【００４２】
これにより、支持板３０上の投入紙幣が、圧縮コイルバネ５２の付勢力により、第２のビルプレス４２の斜面４２ａとピックアップローラ３４の外周面との間に適切な押圧力で保持され、ピックアップローラ３４による投入リジェクト紙幣のフィードローラ３６の方向への繰出しが可能になる。
第２のビルプレス４２とピックアップローラ３４との間に投入リジェクト紙幣を保持した制御部１１は、図１４に示すように、ピックアップローラ３４およびフィードローラ３６を繰出方向に回転させ、フィードローラ３６とゲートローラ３７との間で１枚毎に分離しながら投入リジェクト紙幣を搬送路２３（図３参照）へ繰出し、繰出した投入リジェクト紙幣を図３に示す矢印ヘの方向に搬送して、取忘れ紙幣収納庫２１に収納し、投入リジェクト紙幣の収納処理を終了する。
【００４３】
このように、本実施例の紙幣入出金機構１４は、紙幣ガイド３９と第１のビルプレス４１と第２のビルプレス４２とにより、投入紙幣を集積する第１の集積空間３１と投入リジェクト紙幣を集積する第２の集積空間３２とを形成するので、図１１に示すように、投入紙幣の分離中に投入リジェクト紙幣が発生したとしても、その投入リジェクト紙幣を第２の集積空間３２へ搬送して容易に集積することができる。
【００４４】
また、本実施例の紙幣入出金機構１４に設ける移動体を、第１の窓部３９ａを有する紙幣ガイド３９と第２の窓部４１ａを有する第１のビルプレス４１と第２のビルプレス４２とで構成したので、第１のビルプレスの可倒機構やリジェクトストッパの退避機構を省略して、紙幣入出金機構１４の構成の簡素化を図ることができる。
更に、取り忘れられた投入リジェクト紙幣をピックアップローラ３４の方向に移動させるときに、第１のビルプレス４１と第２のビルプレス４２との間に投入リジェクト紙幣を挟持して移動させるので、投入リジェクト紙幣のピックアップローラ３４への押圧時に倒れ等が生ずることを防止することができ、投入リジェクト紙幣の繰出不良の発生を防止することができる。
【００４５】
更に、投入リジェクト紙幣の返却時に、第１のビルプレス４１と第２のビルプレス４２との間に投入リジェクト紙幣を挟持する場合に、第２のビルプレス４２をその斜面４２ａが第１のビルプレス４１と平行になるように回動させながら第１のビルプレス４１の方向に移動させるので、投入リジェクト紙幣の支持板３０側の端部を斜面４２ａで掬い上げながら第１のビルプレス４１の背面との間で挟持することができ、投入リジェクト紙幣の折れや倒れを防止して、投入リジェクト紙幣の繰出不良の発生を防止することができる。
【００４６】
更に、本実施例の紙幣入出金機構１４は、第２のビルプレス４２が上方となるように傾斜させてあるので、紙幣ガイド３９に投入紙幣を接触させた状態で受入れることができ、投入紙幣のピックアップローラへの押圧時における折れや倒れを防止して、投入紙幣の繰出不良の発生を防止することができる。
以上説明したように、本実施例では、投入紙幣と、投入リジェクト紙幣とを区分して集積する紙幣入出金機構に、支持板上に集積された紙幣を繰出すピックアップローラと、ピックアップローラ側に移動可能に配置され、ピックアップローラの外周面を突出させる第１の窓部を有する紙幣ガイドと、ピックアップローラを紙幣ガイドの方向に付勢するバネ部材と、紙幣ガイドに対向して移動可能に配置され、ピックアップローラの外周面を突出させる第２の窓部を有する第１のビルプレスと、第１のビルプレスを挟んでピックアップローラの反対側に、第１のビルプレスと対向して移動可能に配置された第２のビルプレスと、第１のビルプレスと第２のビルプレスとの間にリジェクト紙幣を集積するリジェクト集積ローラ部とを設け、紙幣ガイドと第１のビルプレスとの間に投入された投入紙幣を繰出す場合は、投入紙幣を、紙幣ガイドと第１のビルプレスとの間に挟持して、第１の窓部から突出させたピックアップローラの外周面で押圧し、第１のビルプレスと第２のビルプレスとの間に集積した投入リジェクト紙幣の取忘れが生じた場合は、投入リジェクト紙幣を、第１のビルプレスと第２のビルプレスとの間に挟持して、第１および第２の窓部から突出させたピックアップローラの外周面で押圧するようにしたことによって、紙幣入出金機構の構成の簡素化を図ることができると共に、投入リジェクト紙幣のピックアップローラへの押圧時に倒れ等が生ずることを防止することができ、投入リジェクト紙幣の繰出不良を防止することができる。
【実施例２】
【００４７】
図１５は実施例２の紙幣入出金部の構成を示す説明図、図１６は図１５の矢印Ｃ方向から見た紙幣繰出機構を示す説明図である。
なお、上記実施例１と同様の部分は、同一の符号を付してその説明を省略する。
また、図１５は紙面手前側のピックアップローラ３４、フィードローラ３６およびセンサローラ支持レバー６２の手前側の側板を除いた状態で示した側面図である。
【００４８】
図１５、図１６において、６１はセンサローラであり、２つのピックアップローラ３４の間に独立に設けられた、ピックアップローラ３４に押圧される紙幣の位置を検出するためのローラであって、図１６に示すように、フィードローラ軸３６ａを中心に回動可能に構成されたセンサローラ支持レバー６２の、フィードローラ軸３６ａの反対側に設けられたセンサローラ軸６１ａに取付けられて、センサローラ支持レバー６２の側板の間に回転可能に配置されている。
【００４９】
６３はバネ部材としての圧縮コイルスプリングであり、一端を紙幣入出金部１３のフレーム等に固定され、他端でセンサローラ支持レバー６２を押圧し、実施例１の圧縮コイルスプリング５２に較べてかなり弱い付勢力で、センサローラ６１を紙幣ガイド３９の方向に付勢する機能を有している。
６４はセンサローラ位置検出センサであり、センサローラ支持レバー６２に設けられた検出板６２ａを光学的に検出してセンサローラ６１の位置を検出するセンサである。
【００５０】
また、検出板６２ａの端部の位置は、ピックアップローラ３４の外周面が投入紙幣に当接したときからの圧縮コイルバネ５２の変位量が適切となる位置、つまりピックアップローラ３４による投入紙幣への押圧力が適切となる位置に設定されている。
本実施例の紙幣ガイド３９には、図１６に示すように、センサローラ６１に対応させて、その外周面を突出させるためのセンサローラ６１に接触しない程度の開口であるセンサ窓部６５が設けられている。
【００５１】
以下に、図１７、図１８を用いて、本実施例の紙幣入出金機８の投入紙幣の取込処理について説明する。
取込指令を受信した制御部１１が、顧客の紙幣の投入後に、シャッタ３３を閉作動させるまでの作動は、上記実施例１と同様であるのでその説明を省略する。
この場合に、センサローラ６１の第１のビルプレス４１側の外周面は、図１５に示すように、ピックアップローラ３４の第１のビルプレス４１側の外周面と同様の位置で、紙幣ガイド３９のセンサ窓部６５から突出しない位置に停止している。
【００５２】
シャッタ３３を閉作動させた制御部１１は、上記実施例１と同様に、紙幣ガイド３９と第１のビルプレス４１とによって支持板３０上で紙幣を立位の状態で挟持したままピックアップローラ３４の方向へ移動させて、紙幣ガイド３９の第１の窓部３９ａおよびセンサ窓部から突出してくるピックアップローラ３４およびセンサローラ６１の外周面に当接させ、図１７に示すように、紙幣ガイド３９をピックアップローラ３４およびセンサローラ６１に押圧された紙幣からピックアップローラ３４の方向に退避させると共に、第１のビルプレス４１を圧縮コイルバネ５２および圧縮コイルバネ６３の付勢力に抗して更に移動させ、センサローラ位置検出センサ６４がセンサローラ支持レバー６２の検出板６１ａの端部を検出したときに、投入紙幣がピックアップローラ３４の圧縮コイルバネ５２により適切な押圧力で押圧されたと判定して、第１のビルプレス４１を停止させる。
【００５３】
これにより、支持板３０上の投入紙幣が、圧縮コイルバネ５２の付勢力により、第１のビルプレス４１の第２の窓部４１ａに押し込まれる前に、第１のビルプレス４１とピックアップローラ３４の外周面との間に更に適切な押圧力で保持されると共に、実施例１と同様に、投入リジェクト紙幣を集積する第２の集積空間３２が形成される。
その後の投入紙幣の一時保留部１７への集積、投入リジェクト紙幣の第２の集積空間３２への集積、投入リジェクト紙幣の返却、紙幣収納庫１８への収納の作動は、上記実施例１と同様であるのでその説明を省略する。
【００５４】
以下に、取忘れられた投入リジェクト紙幣の収納処理の作動について説明する。
制御部１１は、シャッタ３３を開作動させた後に所定の時間を経過しても図示しないセンサが投入リジェクト紙幣の取出を検知しない場合は、投入リジェクト紙幣の取忘れが発生したことを判定し、上記実施例１と同様に、第１のビルプレス４１の背面と第２のビルプレス４２の斜面４２ａとの間に投入リジェクト紙幣を挟持したまま、紙幣ガイド３９、第１および第２のビルプレス４１、４２をピックアップローラ３４の方向へ移動させ、紙幣ガイド３９の第１の窓部３９ａおよび第１のビルプレス４１の第２の窓部４１ａから突出してくるピックアップローラ３４の外周面に当接させ、紙幣ガイド３９および第１のビルプレス４１をピックアップローラ３４に押圧された紙幣からピックアップローラ３４の方向に退避させる。
【００５５】
このとき、図１８に示すように、センサローラ６１が第１のビルプレス４１の押圧面に押されて紙幣ガイド３９のセンサ窓部６５内に停止する。
そして、制御部１１は、第２のビルプレス４２を圧縮コイルバネ５２の付勢力に抗して更に移動させ、ピックアップローラ位置検出センサ５４がピックアップローラ支持レバー５１の端部５１ａを検出したときに、第２のビルプレス４２を停止させる。
【００５６】
これにより、上記実施例１と同様に、支持板３０上の投入紙幣が、圧縮コイルバネ５２の付勢力により、第２のビルプレス４２の斜面４２ａとピックアップローラ３４の外周面との間に適切な押圧力で保持され、ピックアップローラ３４による投入リジェクト紙幣のフィードローラ３６の方向への繰出しが可能になる。
その後の投入リジェクト紙幣の取忘れ紙幣収納庫２１への収納の作動は、上記実施例１と同様であるのでその説明を省略する。
【００５７】
このように、本実施例の紙幣入出金機構１４は、実施例１の構成に加えて、ピックアップローラ３４に押圧される紙幣の位置を検出するためのセンサローラ６１が設けてあるので、ピックアップローラ３４によって押圧された紙幣が、第１のビルプレス４１の第２の窓部４１ａに押し込まれる前に、第１のビルプレス４１を停止させることができ、投入紙幣の繰出を円滑に行うことができる。
【００５８】
なお、本実施例では、センサローラ６１の外周面を突出させるセンサ窓部６５は、２つのピックアップローラ３４の間、つまり紙幣ガイド３９の２つの第１の窓部３９ａの間に設けるとして説明したが、紙幣ガイド３９の第１の窓部３９ａを除く領域で、紙幣を押圧することができる位置であれば、どの位置に設けてもよい。
以上説明したように、本実施例では、上記実施例１と同様の効果に加えて、ピックアップローラ側に紙幣ガイドの方向に付勢されたセンサローラを設けると共に、紙幣ガイドの第１の窓部を除く領域にセンサローラの外周面を突出させるセンサ窓部を設け、投入紙幣をピックアップローラで押圧する場合に、センサローラが投入紙幣を検出したときに、第１のビルプレスを停止させるようにしたことによって、ピックアップローラによって押圧された紙幣が、第１のビルプレスの第２の窓部に押し込まれる前に、第１のビルプレスを停止させることができ、投入紙幣の繰出しを更に円滑に行うことができる。
【図面の簡単な説明】
【００５９】
【図１】実施例１の現金自動預払機を示すブロック図
【図２】実施例１の紙幣入出金機を示すブロック図
【図３】図３は実施例１の紙幣入出金機の構成を示す説明図
【図４】実施例１の紙幣入出金部の構成を示す説明図
【図５】図４の矢印Ａ方向から見た紙幣繰出機構を示す説明図
【図６】図４の矢印Ａ方向から見た第１のビルプレスを示す説明図
【図７】図４の矢印Ｂ方向から見た集積ローラ軸を示す説明図
【図８】実施例１の投入紙幣の集積状態を示す説明図
【図９】実施例１の投入紙幣の挟持状態を示す説明図
【図１０】実施例１の投入紙幣のピックアップローラへの押圧状態を示す説明図
【図１１】実施例１の投入紙幣の繰出状態および投入リジェクト紙幣の集積状態を示す説明図
【図１２】実施例１の投入リジェクト紙幣の返却状態を示す説明図
【図１３】実施例１の投入リジェクト紙幣の挟持状態を示す説明図
【図１４】実施例１の投入リジェクト紙幣のピックアップローラへの押圧状態を示す説明図
【図１５】実施例３の紙幣入出金部の構成を示す説明図
【図１６】図１５の矢印Ｃ方向から見た紙幣繰出機構を示す説明図
【図１７】実施例２の投入紙幣のピックアップローラへの押圧状態を示す説明図
【図１８】実施例２の投入リジェクト紙幣のピックアップローラへの押圧状態を示す説明図
【符号の説明】
【００６０】
１    現金自動預払機
２    主制御部
３    主記憶部
４    操作表示部
５    カード取扱部
６    通帳取扱部
７    硬貨入出金機
８    紙幣入出金機
１１  制御部
１２  記憶部
１３  紙幣入出金部
１４  紙幣入出金機構
１５  鑑別部
１７  一時保留部
１８  紙幣収納庫
２０  非循環紙幣収納庫
２１  取忘れ紙幣収納庫
２３  搬送路
２４  切替ブレード
３０  支持板
３１  第１の集積空間
３２  第２の集積空間
３３  シャッタ
３４  ピックアップローラ
３４ａ  ピックアップローラ軸
３５  紙幣入出金口
３６  フィードローラ
３６ａ  フィードローラ軸
３７  ゲートローラ
３７ａ  ゲートローラ軸
３９  紙幣ガイド
３９ａ  第１の窓部
４１  第１のビルプレス
４１ａ  第２の窓部
４２  第２のビルプレス
４２ａ  斜面
４３  回転支点
４５  リジェクト集積ローラ部
４６  集積ローラ
４６ａ  集積ローラ軸
４７  プレッシャローラ
４７ａ  プレッシャローラ軸
４８  舌片車
４８ａ  舌片
５１  ピックアップローラ支持レバー
５２、６３  圧縮コイルスプリング
５４  ピックアップローラ位置検出センサ
６１  センサローラ
６１ａ  センサローラ軸
６２  センサローラ支持レバー
６４  センサローラ位置検出センサ
６５  センサ窓部
【図１】
2010108159.tif 000003
【図２】
2010108159.tif 000004
【図３】
2010108159.tif 000005
【図４】
2010108159.tif 000006
【図５】
2010108159.tif 000007
【図６】
2010108159.tif 000008
【図７】
2010108159.tif 000009
【図８】
2010108159.tif 000010
【図９】
2010108159.tif 000011
【図１０】
2010108159.tif 000012
【図１１】
2010108159.tif 000013
【図１２】
2010108159.tif 000014
【図１３】
2010108159.tif 000015
【図１４】
2010108159.tif 000016
【図１５】
2010108159.tif 000017
【図１６】
2010108159.tif 000018
【図１７】
2010108159.tif 000019
【図１８】
2010108159.tif 000020